(57)【要約】【課題】公共施設や一般家庭にすでに設置されている従来の多くのメータ類には通信機能を持たないため、即時性に乏しく、計測とその後の処理にあたって多くの工数を必要としていた。また、メータ近くに障害物がある場合には測定が非常に困難であった。【解決手段】画像表示された計測データを直視する画像直視手段と、前記画像表示された計測データを、画像表示された計測データの直視を妨げることなしに撮影する画像撮影手段と、前記画像撮影手段により撮影された画像表示された計測データを画像信号として伝送する画像伝送手段と、前記画像信号を伝送する伝送路と、前記画像伝送手段によって伝送された画像表示された計測データを受信する画像受信手段と、受信された画像表示された計測データを画像処理し、画像よりもとの計測データをテキストデータとして取り出す画像処理手段２を含む計測データ監視システムを考案することによって、前記課題を解決した。【選択図】図１
2009037580.tif 000002
【特許請求の範囲】
【請求項１】
画像表示された計測データを直視する画像直視手段と、前記画像表示された計測データを、画像表示された計測データの直視を妨げることなしに撮影する画像撮影手段と、前記画像撮影手段により撮影された画像表示された計測データを画像信号として伝送する画像伝送手段と、前記画像信号を伝送する伝送路と、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２を含むことを特徴とする計測データ監視システム。
【請求項２】
画像表示された計測データを直視する画像直視手段と、前記画像表示された計測データを、画像表示された計測データの直視を妨げることなしに撮影する画像撮影手段と、前記画像撮影手段により撮影された画像表示された計測データを画像信号として伝送する画像伝送手段と、前記画像信号を伝送する伝送路と、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２を含む計測データ監視システムであって、前記画像表示された計測データを直視する前記画像直視手段と、前記画像表示された計測データを、前記画像表示された計測データの直視を妨げることなしに撮影する前記画像撮影手段と、前記画像撮影手段により撮影された前記画像表示された計測データを伝送する画像伝送手段は一体的に構成され、前記計測データを画像表示するメータにアッタチメントとして結合されることを特徴とする計測データ監視システム。
【請求項３】
画像表示された計測データを直視する画像直視手段と、前記画像表示された計測データを、画像表示された計測データの直視を妨げることなしに撮影する画像撮影手段と、前記画像撮影手段により撮影された画像表示された計測データを画像信号として伝送する画像伝送手段と、前記画像信号を伝送する伝送路と、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２を含む計測データ監視システムであって、前記画像表示された計測データを直視する前記画像直視手段と、前記画像表示された計測データを、前記画像表示された計測データの直視を妨げることなしに撮影する前記画像撮影手段と、前記画像撮影手段により撮影された前記画像表示された計測データを伝送する画像伝送手段が、前記計測データを画像表示するメータと一体的に構成されることを特徴とする計測データ監視システム。
【請求項４】
請求項２において、前記画像撮影手段はピンホールカメラであることを特徴とする計測データ監視システム。
【請求項５】
請求項３において、前記画像撮影手段はピンホールカメラであることを特徴とする計測データ監視システム。
【請求項６】
請求項２において、前記アタッチメントが光学系として半透鏡をさらに含むことを特徴とする計測データ監視システム。
【請求項７】
請求項３において、前記メータが光学系として半透鏡をさらに含むことを特徴とする計測データ監視システム。
【請求項８】
画像表示された計測データを直視する画像直視手段と、前記画像表示された計測データを、画像表示された計測データの直視を妨げることなしに撮影する画像撮影手段と、前記画像撮影手段により撮影された画像表示された計測データを画像信号として伝送する画像伝送手段と、前記画像信号を伝送する伝送路と、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２を含む計測データ監視システムであって、前記伝送路が無線であり、前記画像受信手段と、前記画像処理手段１と、前記画像処理手段２とは、遠隔地に設置された固定的な手段として一体化されたことを特徴とする計測データ監視システム。
【請求項９】
画像表示された計測データを直視する画像直視手段と、前記画像表示された計測データを、画像表示された計測データの直視を妨げることなしに撮影する画像撮影手段と、前記画像撮影手段により撮影された画像表示された計測データを画像信号として伝送する画像伝送手段と、前記画像信号を伝送する伝送路と、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２を含む計測データ監視システムであって、前記伝送路が無線であり、前記画像伝送手段によって伝送された画像表示された計測データを受信する前記画像受信手段と、受信された画像表示された計測データを画像処理し、画像としての補正再生を行う前期画像処理手段１と、補正再生された画像表示された計測データよりもとの計測データをテキストデータとして取り出す前記画像処理手段２を一体化し、携行型（モーバイル型）の手段に構成することを特徴とする計測データ監視システム。
【請求項１０】
画像表示された計測データを直視する画像直視手段と、前記画像表示された計測データを、画像表示された計測データの直視を妨げることなしに撮影する画像撮影手段と、前記画像撮影手段により撮影された画像表示された計測データを画像信号として伝送する画像伝送手段と、前記画像信号を伝送する伝送路と、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２を含む計測データ監視システムであって、前記画像表示された計測データは、各家庭における水道の流量メータに表示された水道の流量データであり、該水道の流量データを監視することによって、家庭における異常を監視することを特徴とする計測データ監視システム。
【請求項１１】
画像表示された計測データを直視する画像直視手段と、前記画像表示された計測データを、画像表示された計測データの直視を妨げることなしに撮影する画像撮影手段と、前記画像撮影手段により撮影された画像表示された計測データを画像信号として伝送する画像伝送手段と、前記画像信号を伝送する伝送路と、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２を含む計測データ監視システムであって、前記画像表示された計測データは、ある地域における水道の流量メータに表示された水道の流量データであり、該水道の流量データを監視することによって、該地域の水の総使用量をリアルタイムで計測を行うことを特徴とする計測データ監視システム。
【発明の詳細な説明】
【技術分野】
【０００１】本発明は計測データ監視システムに関するものである。
【背景技術】
【０００２】多くの種類の計測データ、例えば温度、湿度、風向、風速、流量、圧力、電圧、電流などのデータは、いわゆるメータと呼ばれる表示装置を用いて肉眼で直視して読み取られることが多い。これらの表示装置（いわゆるメータ）上では、計測データは指針などを用いてアナログ的な表示が行なわれたり、数値によるデジタル的な表示が行われている。これらの表示装置は、一般的にはデータを読み取るのに、その表示装置が設置されている場所までいって肉眼で観測する事が大部分である。しかし、表示装置の設置場所が山奥のように現地に行くことが困難な場合、あるいは危険な環境に設置されている場合、あるいは設置箇所が非常に多い場合などには、現地での肉眼による計測データの読み取りには多大な労力と費用が必要とされていた。近年、通信手段の飛躍的な発達によって計測データは表示装置が設置されている場所に行かなくても、有線、あるいは無線手段によって遠隔地に居ても計測データを入手する事が出来るようになった。更にメータの表示画像を利用して遠隔地からデータを入手しようとする方法も提案されている（例えば特許文献１、特許文献２参照）。特にインターネットや各種の無線技術の急速な発展と拡大によって計測データの遠隔地にからの取得も容易になった。このような背景の下で、通信機能を有するメータが出現し、多くの特殊な環境での計測データが現地で表示されること無く直接遠隔地から取得されている。
【特許文献１】  特開２００１−３５１１８７  自動検針装置システム
【特許文献２】  特開２００２−２８８７７７  自動検針装置および自動検針方法
【発明の開示】
【発明が解決しようとする課題】
【０００３】公共施設や一般家庭にすでに設置されている従来の多くのメータ類には通信機能を持たないという欠点があり、測定者はその表示装置が設置されている場所までいって肉眼で計測を行なわなければならなかった。これらの既存の通信機能を持たないメータをすべて通信機能つきのメータに交換することも可能であるが、通信機能を獲得する為のこの方法は設置工事を含め多くの費用と時間を必要とされるという欠点があった。また、従来の通信機能をもつメータは通信機能だけを有している為、現地においての直接肉眼によるデータの読み取りが出来ないという欠点があった。現地においての直接肉眼によるデータの読み取りが出来ない場合には、通信機能や経路に何らかのトラブルが生じた時にも、通信手段によって得た計測データが正しい計測データであるかの確認をすることが出来ないという欠点が有った。近年、日本では高齢化が進み大きな社会問題となっている、高齢化に伴って独居老人の数も大幅に増大している。これら独居老人の安否を確認する方法は各種センサー使った方法が提案されているが、いずれの方法もその検出を目的とした追加工事が必要とされ、費用が掛かるという欠点があった。水は命の源であり、水資源の枯渇が各地で報告されている。水資源は有限であり、これを如何に有効に使用するか？が今後、大きな課題になると思われる。これにはリアルタイムでの水の全体使用量の把握が必要であり、従来の通信機能を持たない水道メータではリアルタイムで全体使用量の把握ができないと言う欠点があった。本発明は以上のような従来の欠点に鑑み、従来のメータ機能を損なうことなく、すなわち、従来どおり現地においてメータを直接肉眼による計測データの読み取りが可能であると共に、通信機能を有し、メータ近くに障害物があっても計測データを入手する方法や遠隔地に居ても計測データを入手する計測データ監視システムを提供する事を目的としている。さらに、本発明は前記システムにおいてメータに結合するアッタチメント及びメータを提供する事を目的としている。本発明の更なる目的は前記システムにおいてメータは水道メータであり、計測データを監視する事によって家庭における異常の検出や地域における使用量の全体把握を行う安価な手段及びリアルタイムで全体使用量の把握する手段を提供する事を目的としている。
【課題を解決するための手段】
【０００４】本発明は以上のような従来の欠点に鑑み考案された発明で、画像表示された計測データを直視する画像直視手段と、前記画像表示された計測データを、画像表示された計測データの直視を妨げることなしに撮影する画像撮影手段と、前記画像撮影手段により撮影された画像表示された計測データを画像信号として伝送する画像伝送手段と、前記画像信号を伝送する伝送路と、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２を含む計測データ監視システムを考案することによって、前記課題を解決した。更に前記システムであって、前記画像表示された計測データを直視する前記画像直視手段と、前記画像表示された計測データを、前記画像表示された計測データの直視を妨げることなしに撮影する前記画像撮影手段と、前記画像撮影手段により撮影された前記画像表示された計測データを伝送する画像伝送手段は一体的に構成され、前記計測データを画像表示するメータにアッタチメントとして結合される計測データ監視システムを考案することによって、前記課題を解決した。
また、前記画像表示された計測データと、前記画像表示された計測データを直視する前記画像直視手段と、前記画像表示された計測データを、前記画像表示された計測データの直視を妨げることなしに撮影する前記画像撮影手段と、前記画像撮影手段により撮影された前記画像表示された計測データを伝送する画像伝送手段が計測データを伝送する画像伝送手段が、前記計測データを画像表示するメータと一体的に構成される計測データ監視システムを考案することによって、前記課題を解決した。更にまた、前記画像表示された計測データは、各家庭における水道の流量メータに表示された水道の流量データであり、該水道の流量データを監視することによって、家庭における異常を監視する計測データ監視システムを考案することによって、前記課題を解決した。同様に前記画像表示された計測データは、ある地域における水道の流量メータに表示された水道の流量データであり、該水道の流量データを監視することによって、該地域の水の総使用量をリアルタイムで計測を行う安価な計測データ監視システムを考案することによって、前記課題を解決した。【０００５】図１は本発明をブロックダイアグラムとして示したものである。図１において、１はメータ上に画像表示された計測データ、２は画像直視手段、３は画像撮影手段、４は撮影された画像の画像伝送手段、５は伝送路、６は画像受信手段、７は画像処理手段１、８は補正再生後の画像表示された計測データ、９は画像処理手段２、１０はテキストデータとしての計測データである。【０００６】一般のメータといわれるものは、計測されデータを、指針の回転角によってアナログ的に表示したり、また十進法のよるアラビア数字を組み合わせて表示したりしている。アラビア数字の組み合わせによる表示は円筒周囲に０〜９までの数字を刻み、円筒の回転角が表示数字に対応するようになされている。最近の表示法は、消費電力の少ない液晶による電気的な表示法が広く採用されている。これらの指針による表示や十進法によるアラビア数字を組み合わせによる計測データの表示は人間の目によって画像として捉え、これを人間の脳が数値（計測データ）として認識するのである。【０００７】本発明はこの画像表示の計測データを直視する手段２、（具体的には表示部に対応する位置に開口部をもち、一般には透明体、例えばガラス板などで保護されている）の他に画像表示の計測データの直視を阻害しない画像撮影手段３を具備し、この画像撮影手段３によって画像表示された計測データ１を撮影する。画像撮影手段３によって撮影された画像は、画像伝送手段４に送られ、伝送路５を通じて遠方に配置された画像受信手段６まで伝送される。伝送路５は有線のほか、各種の無線ＬＡＮ、固定無線アクセスなどの利用が可能である。受信された画像は画像処理手段７、８によって２つの画像処理が行われる。【０００８】画像処理手段１によって行われる第１の画像処理は画像表示の計測データの画像としての補正再生である。画像の撮影手段３で撮影された画像は画像直視手段を妨げないような条件下で撮影が行われている為、画像に大きな歪を生じている、さらに撮影光学系にピンホールカメラなどを使用すると像には回折光によるボケを含んでいる。また、撮影光学系にハーフミラーなどの光学素子を使用した場合には撮影された像は鏡像となる。また、表示に不要な画像部分、伝送路による電気雑音などによって、送られた画像は雑音を含む画像となっている。【０００９】第１の画像処理は歪や雑音の無い画像表示された計測データ１を再生して取り出す事である。画像処理されたデータは画像として表示され、後に続く画像処理手段２によって得られる数値化された計測データ（テキストデータ）との整合性を確認できる。【００１０】画像処理手段２によって行われる第２の画像処理は、再生された画像表示の計測データ１から指針位置、あるいはアラビア数字を判定してもとの計測データをテキストデータとして取り出す処理である。もとの計測データが流量や圧力の場合もテキストデータに変換されて取り出される。取り出された計測データはテキストデータであるので、そのデータを利用した各種演算、判定などに利用される。取り出された計測データ（テキストデータ）は必要に応じてレベル変換を行った後、そのままコンピューターの入力として使用されるので、手動による入力ミスなどが無く、しかも高速な入力が可能である。取り出された計測データは必要に応じて第２メーターの表示にも利用される。
【発明の効果】
【００１１】本発明によれば、公共施設や一般家庭にすでに設置されている従来の多くのメータに対して、安価で簡便に通信機能を持たせることが可能となり、測定者はその表示装置が設置されている場所まで行かなくても計測を行う事が出来ると共に、通信機能や経路に何らかのトラブルが生じた時にも、通信手段によって得た計測データが正しい計測データであるかの確認を現地においての直接肉眼によるデータの読み取りによって行う事が出来る。さらに本発明のメータによれば、通信機能や経路に何らかのトラブルが生じた時にも、通信手段によって得た計測データが正しい計測データであるかの確認を現地においての直接肉眼によるデータの読み取りによって行う事が出来る。遠隔地においても画像データとテキストデータを同時に表示する事により、テキストデータの概略のチェックをする事も出来る。また、本発明の水道メータによれば計測データを監視する事によって家庭における異常の検出を安価に行う事が出来、独居老人の安否や水漏れなどを迅速に検出する事が出来る。地域における使用量をリアルタイムで行うことが出来、水資源のマネージメントにより有効な活用が可能となる。取り出されたテキストデータとしての計測データはそのデータを利用した各種演算、判定などに利用される。取り出された計測データはレベル変換後、そのままコンピューターの入力として使用されるので、手動による入力ミスなどが無く、しかも高速な入力が可能である。メータの設置箇所が非常に多い場合には遠隔地においても同時管理、集中管理が可能となり測定値管理の非常に有効な手段となる。さらに取り出された計測データは次のステップへの配信データとしても利用することが出来る。例えば複数場所への大型スクリーンで表示などにも利用される。【００１２】本発明は、メータから電気信号を発生しない、流体の流量や圧力によってメータが表示されるタイプのメータに特に有効な発明である。例えば、一般の各家庭に設置されている、水道メータやガスメータの計測データの値を遠隔地に居ても入手することが出来るようになる。【００１３】本発明では、後述するように、伝送路以降の手段、すなわち、画像受信手段、画像処理手段１に必要なハードウエア、画像処理手段に必要なハードウエア、その他数値計測でデータの表示に必要なハードウエアなどをハードウエアとして一体化する場合、目的に応じて、それを１ケ所に設置・固定する固定的な手段にしたり、或いは携行可能な携行型（モーバイル型）の手段にする事も可能である。携行型の装置の場合は、測定者とメータとの間に障害物が存在したとしても、容易に計測データを得る事が出来る。例えば、メータ上に積雪があった場合や、メータが塀などで囲まれていて容易に近づけない場合、門が閉まっている場合など、多くの場面で有効である。メータは地面に設置されていることが多く、通常の場合、測定者が直接メータを見るには屈み込んでメータを見なければならない。本発明によれば、そのような必要は無く、立ったままで測定できるので負荷が低減され、測定に要する時間は短縮出来る。【００１４】次に本発明を各家庭に設置されている水道メータに適用した場合の効果についてさらに具体的に箇条書きにして述べる。
１  遠隔地にある中央管理室で水道使用量の読み出しを行うことにより検針員が各戸を訪問する必要がなくなり、訪問は水道管の点検の時のみで、職員の訪問回数の削減が期待され、人件費削減に寄与できる。また、訪問時にもメータを従来どおりに直視するこをが出来、システムの動作確認をすることが出来る。
２  中央管理室での水道使用量は現地と同じ画像としてのメータ表示として目視で測定する事が出来ると共に、テキストデータに変換された計測データを得る事が出来るので、その後の料金計算や、全体の使用量などの各種演算に使用できる。
３  検針員によるメータ数値をデータコレクターに打ち込む作業がいらなくなる。従来、検針結果の各水道使用者への報告をデータコレクターから打ち出していたのを、中央管理室（水道局の本部事務所）から使用量のお知らせを郵送できる。
４  水漏れ監視は検針員の訪問時に同時に行うことが多いが、本発明を用いれば、中央管理室で常時監視できる。監視は表示の最低桁の変化で読み取る。監視手順については、例えば、最低桁が動いているのを感知したら、この画像を少なくとも１２時間（又は３時間、６時間を１０分間毎に確認）監視し連続作動検知の場合を「水漏れ」と判断しメンテナンス部門に通知する。
５  水道メータが現地で目視できない場合、例えば自動車が水道メータの蓋の上に駐車している時や雪で水道メータの蓋が開けられない場合でも、本発明によればメータの検針を行う事が出来る。
６  独居老人などの安否を常時、監視できる。今後さらなる高齢化によって独居老人の数が増加する事は間違いない現実である。水が生命にとって不可欠の物であり、水が、ある一定期間以上使用されていないことは何らかの異常が発生したと考えられる。本発明によれば水の使用を常時監視できるので、独居老人などの安否確認に迅速に対応できる。
同様な効果は本発明を各家庭に設置されているガスメータに使用した場合にも、得る事が出来る。
【発明を実施するための最良の形態】
【００１５】本発明の計測データシステムは、ハードウエアと、ソフトウエアとの組み合わせにより成り立っている。本発明を構成する各手段をハードウエアとして具現する場合、目的に応じた各手段の組み合わせ方が可能なる。図２は本発明のハードウエアの組み合わせを説明した図である。図２において、１１はアタチメント、１２は画像直視手段、画像撮影手段及び画像伝送手段を備えたメータである。例えば画像直視手段、画像撮影手段及び画像伝送手段をハードウエアとして１体に纏めると、メータに付帯して使用するアタッチメントとして具現することが出来る。となる。さらにこれらの手段にメータまで含めてハードウエアを構成する事も出来る。一方、伝送路以降の手段、すなわち、画像受信手段、画像処理手段１に必要なハードウエア、画像処理手段２に必要なハードウエア、その他数値計測でデータの表示に必要なハードウエアなどをハードウエアとして一体化する場合、目的に応じて、それを１ケ所に設置・固定する固定的な手段にしたり、或いは携行可能な携行型（モーバイル型）の手段にする事も可能である。【００１６】以下、図面に示す発明を実施する為の最良の形態により本発明を詳細に説明する。図３は本発明の、画像表示された計測データ、画像直視手段、画像撮影手段、画像伝送手段に至るブロックダイアグラムに対応する構造の最良の形態を示した図である。特に画像表示された計測データを直視する画像直視手段と、画像表示された計測データを、前記画像表示された計測データの直視を妨げることなしに撮影する前記画像撮影手段と、前記画像撮影手段により撮影された前記画像表示された計測データを伝送する画像伝送手段は一体的に構成され、前記計測データを画像表示するメータにアッタチメントとして結合される計測データ監視システムの実施例を示すものである。【００１７】図３において、１３はメータ、１４は入力信号、１５はモータ、１６は歯車列、１７は指針、１８は回転軸、１９は文字盤、２０は第１の透明窓、２１は撮影装置、２２は照明用光源、２３は電子回路、２４は出力信号、２５はアンテナ、２６は外部からの電源入力、２７は内部電源、２８は第２の透明窓、２９はケーシング、３０は固定用ネジ、３１はパッキン、である。【００１８】メータ１３は外部より入力信号１４を受け、入力信号１４はモータ１５を回転にさせる。モータ１５は歯車列１６に連結し、最適な比率に変換されて、指針１７の取り付けられた回転軸１８を回転させる。指針１７は数字の刻まれた文字盤１９上の特定の数値を指し示す。通常、指針１７及び文字盤１９の上部には、保護用の第１の透明窓２０が配置されている。【００１９】指針１７および文字盤１９は照明用光源２２により照明され、撮影装置２１により画像とし取り込まれる。撮影された画像は電子回路２３により処理され、出力信号２４として外部に送信される。出力信号２４は、またアンテナ２５を通じて無線の出力信号として発信される。電子回路２３には撮影装置２１の駆動回路、メモリー回路、ＣＰＵ、送信回路、照明用光源２２の電源、が含まれている。電子回路２３は外部からの電源入力２６あるいは内部電源２７により駆動される。また内部電源２７は電源入力２６が何らかの理由により、供給が途絶えた場合、応急的の働く電源としても機能する。【００２０】指針１７及び文字盤１９は第１の透明窓２０、第２の透明窓２８を通して肉眼で観測する事ができる。装置全体を包むケーシング２９はパッキン３１を介してメータ１３の外周と結合し、固定用ネジ３０により強固に固定される。パッキン３１は結合に気密性を与える為に使用される。ケーシング２９の周囲からの自然光が撮影装置２１による指針１７や文字盤１９の撮影に十分な明るさが得られない場合を想定し、ケーシング２９の内部に照明用光源２２を配置している。【００２１】第２の透明窓２８の上部は通常保護用の不透明な材質で出来た蓋がされている（図示せず）。この蓋が閉まった状態で文字盤を撮影するために前記ケーシング２９の一部、即ち文字盤の周辺、或いは全体は、自然光を透過させる材質である事が望ましい。アッタチメント全体は通常戸外に設置されている事が多いため温度・湿度の変化を受けやすい。この事は第１の透明窓２０や第２の透明窓２８に結露が発生する可能性が高い事を示している。この結露を防止するために第１の透明窓２０や第２の透明窓２８は防曇処理をされた材料を使用することが望ましい。さらにケーシング２９全体の機密性を良くし、真空にするか、あるいは内部に不活性ガスなどを封入する事が望ましい。パッキン３１は全体を防水構造にするために使用されている。【００２２】撮影装置２１に使用されるレンズは焦点距離が短く、広角で歪の少ないレンズが望ましい。さらに、撮影する画像に高い分解能が要求されない場合には、安価なピンホールカメラを使用することも可能である。この場合は装置全体をより小型でその高さ低くする事が出来る。【００２３】本構造はメータとの勘合部を除いて（メータの外形寸法がメータによって異なる為）、多くのメータに対して使用することが可能である。また、メータの表示方法が異なる場合も多くのメータに対して使用することが可能である。【００２４】即ち図３において、メータは指針の回転角によって数値を読み取るタイプのメータが示されているが、メータの表示が円筒周囲に０〜９までのアラビア数字を刻み、円筒の回転角が表示数字に対応するメータのタイプや、液晶による電気的な数値表示によるタイプの場合も、メータ部分を除いて実施例一の構造と全く同じ構造を用いる事が出来る。メータによっては水やガスなどのような流体で回転翼をまわしてこの回転を歯車列に導いて計測値を表示するタイプのメータも存在する。この場合も計測データは画像として表示されているので前記実施例の構造と全く同じ構造を用いる事が出来ることは言うまでもない。【００２５】図３の実施例は既に述べたように、特に画像表示された計測データを直視する画像直視手段と、画像表示された計測データを、前記画像表示された計測データの直視を妨げることなしに撮影する前記画像撮影手段と、前記画像撮影手段により撮影された前記画像表示された計測データを伝送する画像伝送手段は一体的に構成され、前記計測データを画像表示するメータにアッタチメントとして結合される計測データ監視システムの実施例を示すものであるが、この構造にさらに前記計測データを画像表示するメータも含めて一体的に構成した計測データ監視システムを作ることが出来る。【００２６】図４は発明を実施する為の他の最良の形態を示した図である。本実施例も前記の実施例と同様に、画像表示された計測データを直視する画像直視手段と、画像表示された計測データを、前記画像表示された計測データの直視を妨げることなしに撮影する前記画像撮影手段と、前記画像撮影手段により撮影された前記画像表示された計測データを伝送する画像伝送手段は一体的に構成され、前記計測データを画像表示するメータにアッタチメントとして結合される計測データ監視システムの実施例を示すものである。図において３２は第１の透明窓２０の上部に配置された半透鏡である。【００２７】本実施例の場合、文字盤１９および指針１７の像はこの半透鏡３２の反射を利用して撮影装置２１により撮影される。撮影装置２１により撮影された像は左右が反転した鏡像となる。本実施例においても指針１７及び文字盤１９は第１の透明窓２０、半透鏡３２及び第２の透明窓２８を通して肉眼で観測する事ができる。【００２８】図４の実施例は既に述べたように、特に画像表示された計測データを直視する画像直視手段と、画像表示された計測データを、前記画像表示された計測データの直視を妨げることなしに撮影する前記画像撮影手段と、前記画像撮影手段により撮影された前記画像表示された計測データを伝送する画像伝送手段は一体的に構成され、前記計測データを画像表示するメータにアッタチメントとして結合される計測データ監視システムの実施例を示すものであるが、この構造にさらに前記計測データを画像表示するメータも含めて一体的に構成した計測データ監視システムを作ることが出来る。【００２９】本発明における伝送路は有線あるいは無線共に使用可能であり、既存の大部分の伝送路を使用することが可能である。特に伝送路に無線を使用すると便利なことが多い。伝送路の選択にあたっては、必要とされる通信距離や通信速度など、使用環境に応じて、最適な周波数帯（バンド）や変調方式を選択する事が必要である。既存の各種の固定無線アクセス、無線ＬＡＮの利用が可能である。【００３０】本発明には、画像信号を伝送する伝送路が無線の場合、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２とは、遠隔地に設置された固定的な手段として一体化された計測データ監視システムが含まれる。【００３１】さらに本発明は画像信号を伝送する伝送路が無線の場合、前記画像伝送手段によって伝送された画像表示された計測データを受信する画像受信手段と、受信された画像表示された計測データを画像処理し、画像としての補正再生を行う画像処理手段１と、補正再生された画像表示された計測データよりもとの計測データをテキストデータとして取り出す画像処理手段２を一体化し、携行型（モーバイル型）の手段に構成する計測データ監視システムが含まれる。【００３２】本発明における画像処理は、前述のように２つの画像処理により構成されている。画像処理手段１は、伝送されてきた画像表示の計測データの画像としての補正再生である。即ち、画像の撮影手段で撮影された画像は画像直視手段を妨げないような条件下で撮影が行われている為、画像に大きな歪を生じている、さらに撮影光学系に半透鏡などの光学素子を使用した場合には撮影された像は鏡像となる。ピンホールカメラを使用した場合には、回折光による像のボケが生じる。また、表示に不要な画像部分、伝送路による電気雑音などによって、送られた画像は雑音を含む画像となっている。第１の画像処理は歪や雑音の無い画像表示された計測データ１を補正再生して取り出すための処理である。【００３３】本発明における第１の画像処理は特殊な画像処理技術を必要とせず、すべて既に確立された公知の画像処理技術（例えば非特許文献１参照）を用いることによって達成することが出来る。即ち、画像を見やすくするために濃度変換や画像の平滑化、鮮鋭化をおこない、雑音については空間フイルタリング法を用いて除去し、画像の歪については幾何学的画像変換処理が行う。図５は第１の画像処理の手順の１例を示した図である。【００３４】画像処理手段２によって行われる第２の画像処理は、再生された画像表示の計測データ１から指針位置、あるいはアラビア数字を判定してもとの計測データをテキストデータとして取り出す処理である。既に述べたように、処理後の計測データはテキストデータとなっているので、そのデータを利用した各種演算、判定などに利用される。処理後の計測データは必要に応じてレベル変換を行った後、そのままコンピューターの入力として使用されるので、手動による入力ミスなどが無く、しかも高速な入力が可能である。取り出された計測データは必要に応じて第２メータの表示にも利用される。【００３５】本発明における第２の画像処理も第１の画像処理と同様に特殊な画像処理技術を必要とせず、すべて既に確立された公知の画像処理技術（例えば非特許文献１参照）を用いることによって達成することが出来る。即ち、これには広く使われている印刷文字認識技術を利用する事が出来る。一般に印刷文字認識処理においては▲１▼文字入力、▲２▼文字の切出し、▲３▼前処理、▲４▼文字の分類、▲５▼文字の識別の順を追って処理が行われる。本発明の場合、文字入力については既にラスタ走査が行われた画像が伝送されてきており、更に第１の画像処理により雑音を含まない鮮鋭度の高い画像になっている。文字の切り出しについては、本発明の場合にはメータ上での文字位置が固定されているので容易に切り出しを行う事が出来る。前処理は文字の大きさや位置の正規化を行う処理であるが、この処理についても本発明の場合にはメータ上での文字の大きさや位置が決められており、処理を容易に行う事が出来る。文字の分類については、本発明の場合には使用される文字の数が極端に少なく、また単純な文字であるので、この場合の処理も非常に簡単な処理となる。文字の識別も文字の分類と同様に、本発明の場合には使用される文字の数が極端に少なく、また単純な文字であるので、この場合の処理も非常に簡単な処理となる。テンプレートマッチング法や、パターンマッチング法、ストロークアナリシス法、周辺分布による方法、構造解析による方法などが利用できるが、本発明の場合はテンプレートマッチング法が適していると思われる。文字が識別されれば、文字画像から数値に変換することが可能になり、文字画像はテキストデータ化される。図６は第２の画像処理の手順の１例を示した図である。
【非特許文献１】画像処理工学  村上伸一著  東京電気大学出版部に解説記載
【図面の簡単な説明】
【００３６】
【図１】  本発明をブロックダイアグラムとして示したものである。
【図２】  本発明のハードウエアの組み合わせを説明した図である。
【図３】  本発明を実施する為の最良の形態を示した図である。
【図４】  本発明を実施する為の他の最良の形態を示した図である。
【図５】  第１の画像処理の手順の１例を示した図である。
【図６】  第２の画像処理の手順の１例を示した図である。
【符号の説明】
【００３７】  １    メータ上に画像表示された計測データ
２    画像直視手段
３    画像撮影手段
４    撮影された画像の画像伝送手段
５    伝送路
６    画像受信手段
７    画像処理手段１
８    補正再生後の画像表示された計測データ
９    画像処理手段２
１０    テキストデータとしての計測データ
１１    アタチメント、
１２    画像直視手段、画像撮影手段及び画像伝送手段を備えたメータ
１３    メータ
１４    入力信号
１５    モータ
１６    歯車列
１７    指針
１８    回転軸
１９    文字盤
２０    第１の透明窓
２１    撮影装置
２２    照明用光源
２３    電子回路
２４    出力信号
２５    アンテナ
２６    外部からの電源入力
２７    内部電源
２８    第２の透明窓
２９    ケーシング
３０    固定用ネジ
３１    パッキン
３２    第１の透明窓２０の上部に配置された半透鏡
３３    第１の画像処理の第１ステップ
３４    第１の画像処理の第２ステップ
３５    第１の画像処理の第３ステップ
３６    第１の画像処理の第４ステップ
３７    第２の画像処理の第１ステップ
３８    第２の画像処理の第２ステップ
３９    第２の画像処理の第３ステップ
４０    第２の画像処理の第４ステップ
４１    第２の画像処理の第５ステップ
４２    第２の画像処理の第６ステップ
４３    第２の画像処理の第７ステップ
４４    第２の画像処理の第８ステップ
４５    第２の画像処理の第９ステップ
【図１】
2009037580.tif 000003
【図２】
2009037580.tif 000004
【図３】
2009037580.tif 000005
【図４】
2009037580.tif 000006
【図５】
2009037580.tif 000007
【図６】
2009037580.tif 000008